(57)【要約】【課題】省エネルギー効果を維持しつつ、初期設定のための時間のロスを少しでも減らし、動作効率が向上した画像形成装置を提供すること。【解決手段】原稿を読み取り画像データを生成する読み取り手段７０と、読み取り手段に電力を供給する電源部１０と、を備えた画像形成装置１００であって、読み取り手段が有する撮像素子又は画像処理手段の少なくとも1つ以上へ電力を供給するか否かを切り換える切換信号を出力する電源切換信号出力手段１２４と、電力供給が遮断されていた電力停止時間を計測する計測手段１２３と、前記電力停止時間が所定時間未満の場合、読み取り手段に第一の設定値を設定する第一の初期設定のみを行うと判定し、電力停止時間が所定時間以上の場合、第一の初期設定及び読み取り手段に第二の設定値を設定する第二の初期設定を行うと判定する判定手段６２と、第一の初期設定のみ又は第一の初期設定及び第二の初期設定を実行する初期設定手段６３と、有する。【選択図】図１
2011215595.tif 000002
【特許請求の範囲】
【請求項１】
原稿を読み取り画像データを生成する読み取り手段と、
前記読み取り手段に電力を供給する電源部と、を備えた画像形成装置であって、
前記電源部から前記読み取り手段が有する撮像素子又は画像処理手段の少なくとも1つ以上へ、電力を供給するか遮断するかを切り換える切換信号を出力する電源切換信号出力手段と、
前記読み取り手段電力への電力供給が遮断されていた電力停止時間を計測する計測手段と、
前記電力停止時間が所定時間未満の場合、前記読み取り手段に第一の設定値を設定する第一の初期設定のみを行うと判定し、前記電力停止時間が所定時間以上の場合、前記第一の初期設定及び前記読み取り手段に第二の設定値を設定する第二の初期設定を行うと判定する判定手段と、
前記第一の初期設定のみ、又は、前記第一の初期設定及び第二の初期設定を実行する初期設定手段と、
有することを特徴とする画像形成装置。
【請求項２】
前記第二の初期設定により得られる前記第二の設定値は、前記第一の初期設定により得られる前記第一の設定値よりも経時的に変動しにくい、
ことを特徴とする請求項1記載の画像形成装置。
【請求項３】
前記第二の初期設定は、前記読み取り手段のＡＧＣ調整、白レベル調整、又は、黒レベル調整のうち少なくとも１つが含まれる、
ことを特徴とする請求項１又は２に記載の画像形成装置。
【請求項４】
前記読み取り手段の環境温度の変動が大きいほど、前記所定時間を小さくする所定時間変更手段、を有することを特徴とする請求項１又は２に記載された画像形成装置。
【請求項５】
前記所定時間の任意の値への変更を受け付ける所定時間変更手段、を有することを特徴とする請求項１又は２に記載された画像形成装置。
【請求項６】
前記読み取り手段は、撮像素子、Ａ／Ｄ変換を行う第一の画像処理手段、及び、画像処理を行う第二の画像処理手段を含み、
前記電源部が前記読み取り手段への電力を遮断している間、前記電源部は原稿挿入センサ、操作受け付け部、又は、ネットワークと接続された外部インターフェースの少なくとも１つ以上に電力を供給する、
ことを特徴とする請求項１記載の画像形成装置。
【請求項７】
前記電源部と外部電源とが遮断されている状態から、前記電源部と外部電源とが接続された状態になった場合、前記電源切換信号出力手段は前記電源部から前記読み取り手段へ電力を供給する切換信号を出力し、
前記初期設定手段は前記第一の初期設定のみ、又は、前記第一の初期設定及び第二の初期設定を実行する、
ことを特徴とする請求項１記載の画像形成装置。
【請求項８】
原稿を読み取り画像データを生成する読み取り手段と、
前記読み取り手段に電力を供給する電源部と、
前記電源部から前記読み取り手段が有する撮像素子又は画像処理手段の少なくとも1つ以上へ、電力を供給するか遮断するかを切り換える切換信号を出力する電源切換信号出力手段と、を備えた画像形成装置の電力供給方法であって、
計測手段が、前記読み取り手段への電力供給が遮断されていた電力停止時間を計測する計測ステップと、
判定手段が、前記電力停止時間が所定時間未満の場合、前記読み取り手段に第一の設定値を設定する第一の初期設定のみを行うと判定し、前記電力停止時間が所定時間以上の場合、前記第一の初期設定及び前記読み取り手段に第二の設定値を設定する第二の初期設定を行うと判定する判定ステップと、
初期設定手段が、前記第一の初期設定のみ、又は、前記第一の初期設定及び第二の初期設定を実行する初期設定ステップと、
を有する電力供給方法。
【請求項９】
原稿を読み取り画像データを生成する読み取り手段と、
前記読み取り手段に電力を供給する電源部と、
前記電源部から前記読み取り手段が有する撮像素子又は画像処理手段の少なくとも1つ以上へ、電力を供給するか遮断するかを切り換える切換信号を出力する電源切換信号出力手段と、を備えた画像形成装置に、
前記読み取り手段への電力供給が遮断されていた電力停止時間を計測する計測ステップと、
前記電力停止時間が所定時間未満の場合、前記読み取り手段に第一の設定値を設定する第一の初期設定のみを行うと判定し、前記電力停止時間が所定時間以上の場合、前記第一の初期設定及び前記読み取り手段に第二の設定値を設定する第二の初期設定を行うと判定する判定ステップと、
前記第一の初期設定のみ、又は、前記第一の初期設定及び第二の初期設定を実行する初期設定ステップと、
を実行させるプログラム。
【発明の詳細な説明】
【技術分野】
【０００１】
本発明は、画像形成装置に関し、特に、スキャナ部とプロッタ部を備えた画像形成装置、電力供給方法、及び、プログラムに関する。
【背景技術】
【０００２】
デジタル複合機やＭＦＰ（Multifunction Peripheral）と呼ばれる画像形成装置は、スキャナ部や画像形成部などのいくつかの機能的なまとまりを有するため、各部への電源供給をＯＮ／ＯＦＦすることで、消費電力の抑制を図る電力制御手段を備えることが多い。電力制御手段は、例えば、スキャナ部が長時間使用されない場合、スキャナ部へ供給される電力をＯＦＦにする（例えば、特許文献１参照。）。特許文献１には、消費電力を削減する目的で、原稿の読取りや画像の書込みに必要な場合にのみ、スキャナ部及び画像書込部へ電源を供給する画像形成装置が開示されている。
【発明の概要】
【発明が解決しようとする課題】
【０００３】
しかしながら、このような従来の画像形成装置では、以下のような問題が生じる。スキャナ部は画像を高画質に読み取るために、電力供給が停止されると次回の電力供給時に、画像読み取りのための設定情報を初期設定する必要がある。
【０００４】
消費電力の低減のため、画像形成装置は比較的頻繁にスキャナ部への電力供給をＯＮ／ＯＦＦするので、そのたび毎に初期設定を繰り返すことになる。初期設定にはそれほど長い時間はかからないが、頻繁に待ち時間が発生すると、ユーザとしては煩わしさを感じてしまう。また、客観的にも、初期設定のための頻繁な待ち時間の発生は、画像形成装置の可用性を低下させてしまう。
【０００５】
本発明は、上記従来の問題を解決すべくなされたものであって、省エネルギー効果を維持しつつ、初期設定のための時間のロスを少しでも減らし、動作効率が向上した画像形成装置を提供することをも目的とする。
【課題を解決するための手段】
【０００６】
本発明は、原稿を読み取り画像データを生成する読み取り手段と、前記読み取り手段に電力を供給する電源部と、を備えた画像形成装置であって、前記電源部から前記読み取り手段が有する撮像素子又は画像処理手段の少なくとも1つ以上へ、電力を供給するか遮断するかを切り換える切換信号を出力する電源切換信号出力手段と、前記読み取り手段電力への電力供給が遮断されていた電力停止時間を計測する計測手段と、前記電力停止時間が所定時間未満の場合、前記読み取り手段に第一の設定値を設定する第一の初期設定のみを行うと判定し、前記電力停止時間が所定時間以上の場合、前記第一の初期設定及び前記読み取り手段に第二の設定値を設定する第二の初期設定を行うと判定する判定手段と、前記第一の初期設定のみ、又は、前記第一の初期設定及び第二の初期設定を実行する初期設定手段と、有することを特徴とする。
【発明の効果】
【０００７】
省エネルギー効果を維持しつつ、初期設定のための時間のロスを少しでも減らし、動作効率が向上した画像形成装置を提供することができる。
【図面の簡単な説明】
【０００８】
【図１】画像形成装置の概略を説明する図の一例である。
【図２】画像形成装置の全体構成図（側面図）の一例である。
【図３】スキャナ部の上面図の一例である。
【図４】画像形成装置のハードウェアブロック図の一例である。
【図５】画像形成装置の機能ブロック図の一例である。
【図６】画像形成装置の各部に電力が供給されるか否かに応じて定まる画像形成装置の動作モードの一例を示す図である。
【図７】各動作モードへの状態遷移図と省エネ状態の一例を示す図である。
【図８】スキャナ部の動作手順を説明するフローチャート図の一例である。
【図９】初期設定Ａの処理手順を示すフローチャート図の一例である。
【図１０】初期設定Ｂの処理手順を示すフローチャート図の一例である。
【発明を実施するための形態】
【０００９】
以下、本発明を実施するための形態について図面を参照しながら説明する。
図１は、本実施形態の画像形成装置の概略を説明する図の一例である。
【００１０】
まず、画像形成装置の読み取り部に初期設定される設定情報は、
Ａ．比較的短時間で変化する設定情報Ａ
Ｂ．比較的短時間では変化しない設定情報Ｂ
に区分される。
【００１１】
いずれの設定情報も画像形成装置が初期設定を実行することで生成される。以下、設定情報Ａが得られる初期設定を「初期設定Ａ」、設定情報Ｂが得られる初期設定を「初期設定Ｂ」という。
【００１２】
比較的短時間では変化しない設定情報Bは、読み取り部の電力供給のＯＮの度に画像形成装置が調整する必要性は低い。
【００１３】
そこで、本実施形態の画像形成装置は、電力供給の停止時間を所定値（閾値）と比較して、所定値以上の停止時間の場合には「初期設定Ａ＋初期設定Ｂ」を行い、所定値未満の停止時間の場合には「初期設定Ａ」のみを行う。
【００１４】
初期設定を電力供給の停止時間により選択することにより、多くの場合、読み取り部の起動時間を短縮することができる。調整を行うタイミングは、読み取り部の電力供給がＯＦＦの動作モードからＯＮの動作モードに移行するタイミングである。例えば、後述するスタンバイモードから原稿挿入後（メインＳＷ立ち上がりモード）に画像形成装置が行う初期設定が初期設定Ａのみである場合、スキャナ部の起動時間を短縮できる。スキャナ部への電力供給は、従来どおりのタイミング（例えば、スキャナ部が長時間使用されない場合）でＯＦＦにされるので、消費電力の低減効果を維持することもできる。
【００１５】
〔構成〕
図２は画像形成装置１００の全体構成図（側面図）の一例である。画像形成装置１００は、主にプロッタ部１とスキャナ部２とを有する。
【００１６】
プロッタ部１は、画像形成部６０と給紙部４０とを有する。給紙部４０には２つのロール紙（用紙）Ｐが主走査方向を軸にして巻き付けられている。ロール紙の数は１又は３以上でもよく、ロール紙Ｐでなく矩形状の用紙を給紙するための給紙トレイが給紙部４０に搭載されていてもよい。
【００１７】
ロール紙Ｐの先端側には、給紙ローラ４１ａ、４１ｂ、４２ａ、４２ｂ、４３が配置されており、画像形成部６０に向けて引き出され、給紙ローラ４１ａ、４１ｂ、４２ａ、４２ｂ、４３で搬送された後、レジストローラ４５まで搬送される。ロール紙Ｐは排出口５１の直前でカットされるまでつながった状態のままとなる。給紙ローラ４１ａ、４１ｂ、４２ａ、４２ｂ、４３は給紙モータ４４により駆動される。
【００１８】
画像形成部６０は、レジストローラ４５、レジストローラ４５を駆動するレジストモータ４６、プラテン板５２、ヘッド１４、排紙ローラ４８ａ、４８ｂ、４９ａ、４９ｂ、カッター５０、及び、排出口５１を有する。
【００１９】
ローラ紙Ｐは、レジストローラ４５によりプラテン板５２まで搬送される。プラテン板５２には複数の穴が空けられていると共に、その下部にはプラテン板５２上のロール紙Ｐを吸引する図示しない吸引ＦＡＮが配置されている。ロール紙Ｐは複数の穴を介して吸引ＦＡＮの吸引力によりプラテン板５２上に吸いつけられることで、たわみ等が防止され平面が維持される。
【００２０】
ヘッド１４は、プラテン板５２の上部のキャリッジ４７に搭載されている。キャリッジ４７はロール紙の主走査方向に往復移動するので、移動中にヘッド１４がプラテン板５２上のロール紙Ｐに向かってインクの液滴を吐出することで画像が形成される。このようなシリアル型でなく、主走査方向にヘッド１４が配置されたライン型でも、スキャナ部２の消費電力の低減効果が得られる。また、インクジェット型の画像形成部６０でなく、電子写真方式の画像形成部６０を搭載してもよい。
【００２１】
画像が形成されたロール紙Ｐは、それぞれ対をなす排紙ローラ４８ａ、４８ｂ及び４９
ａ、４９ｂにより所定の位置まで搬送され、カッター５０でカットされて排出口５１から
排出される。
【００２２】
スキャナ部２は、原稿スルー方式の紙送り機構を採用している。スキャナ部２は、原稿台２８と、原稿台２８上の原稿を挿入する原稿挿入口２９と、コンタクトガラスの内側に配置され原稿を読み取る密着センサ（以下、ＣＩＳ：Contact Image Sensorという）２０と、コンタクトガラス上の原稿押さえ板３０と、原稿搬送路に沿ってＣＩＳ２０と原稿押さえ板３０を挟んで配置された原稿搬送ローラ３１ａ、３１ｂと、を有する。
【００２３】
ＣＩＳ２０は、原稿に読取光（ＣＩＳ２０の照明はＬＥＤが好適である）を照射してその反射光を光電変換して画像を読み取る。ＣＩＳ２０は、個体撮像素子の一例なので、ＣＣＤやＣＭＯＳなどで構成してもよい。
【００２４】
図３は、このスキャナ部２を上面図の一例を示す。原稿挿入口２９の下流部には、センサＳ０〜Ｓ４が配置されている。センサＳ０は挿入された原稿を検出するセンサ（以下、原稿挿入センサＳ０という）である。原稿挿入センサＳ０は画像形成装置１００の主走査方向の略中央部に配置され、極端に小さいサイズでなければ挿入された原稿を検出できるようになっている。
【００２５】
原稿搬送面のコンタクトガラス内側には、原稿搬送ローラ３１ａ、３１ｂを駆動させて原稿Ｇを搬送させる原稿搬送モータ２４が設けられている。原稿搬送面上部には、操作部２３（図３では不図示）、原稿の搬送を停止する緊急停止キーＳ８が設けられている。
【００２６】
また、センサＳ１〜Ｓ４は原稿サイズを検出するセンサ（以下、原稿サイズセンサＳ１〜Ｓ４という。）である。原稿サイズセンサＳ１〜Ｓ４は、原稿挿入センサＳ０よりも主走査方向の片側にだけ間隔を置いて配置されている。この間隔は原稿サイズに応じて調整されており、原稿サイズセンサＳ１〜Ｓ４のうちどれが原稿を検出するかにより、原稿サイズを特定できるようになっている。
【００２７】
原稿挿入センサＳ０の下流側には、原稿の副走査方向の幅である原稿幅信号を出力する原稿レジストセンサＳ５が配置され、原稿排出口３２周囲のコンタクトガラス内側には原稿が排出されたことを検出する原稿排出センサＳ６が配置されている。
【００２８】
なお、本実施形態のスキャナ部２は、原稿スルー方式として説明したが、それ以外の方式例えばＡＤＦ（原稿自動送り）方式等でもスキャナ部２の消費電力の低減効果が得られる。
【００２９】
＜プロッタ部＞
図４は、画像形成装置１００のハードウェアブロック図の一例である。画像形成装置１００は、既に述べたようにプロッタ部１とスキャナ部２から構成されている。
【００３０】
プロッタ部１は、電源部１０、システム制御部１２、Ｉ／Ｏ部１３、画像書込部１５、書込制御部１６、ヘッド１４、外部Ｉ／Ｆ部１７、及び、メインＳＷ１１を有する。
【００３１】
電源部１０は、外部の商用電源とメインＳＷ１１を介して接続されており、商用電源を整流及び電圧調整して所定の定電圧・定電流を生成し、スキャナ部２、システム制御部１２、画像書込制御部１５、書込制御部１６、及び、外部Ｉ／Ｆ部１７に供給する。メインＳＷ１１は、商用電源から電源部１０への電力の供給又は遮断の切換を行う。
【００３２】
システム制御部１２は、ＣＰＵ１２１、メモリ１２２、タイマ１２３、及び、電源切換信号出力部１２４を有する。ＣＰＵ１２１はメモリ１２２に記憶されたプログラム１２２１を実行して、システム制御部１２の全体を制御する。プログラム１２２１は記憶媒体８０又はネットワーク先のサーバから外部Ｉ／Ｆ部１７を介してインストールされる。
【００３３】
タイマ１２３は読み取り部７０の電源が遮断されていた時間（以下、電力停止時間という）を計測する計測手段である。タイマ１２３はバッテリなどで稼働しシステム制御部１２に電力が供給されなくても読み取り部７０の電力停止時間を計測している。タイマ１２３はカウンタのようなものでもよいし、図示しないＲＴＣから読み取り部７０への電源が遮断された時の時刻を取得して記憶し、記憶されている時刻からの経過時間を算出してもよい。
【００３４】
電源切換信号出力部１２４は、ＣＰＵ１２１の制御を受けて、電源切換信号を電源切換部２６、２７に送信して、読み取り部７０への電力の供給と遮断を切り換える。
【００３５】
外部Ｉ／Ｆ部１７には、外部装置（例えばパーソナルコンピュータやサーバ等）が接続され、システム制御部１２の制御の下で外部装置との画像データの送受信を行う。外部Ｉ／Ｆ部１７にはネットワークと接続するための通信装置が含まれる。
【００３６】
画像書込処理部１５は、システム制御部１２の制御下で、ロール紙Ｐに形成する画像データに画像処理を施す。スキャナ部２が読み取った画像データであれば、例えば、像域分離して文字部にはエッジ強調処理を背景部には平滑化処理を行う。また、パーソナルコンピュータから送信された印刷データであればレンダリングしてラスタデータに変換し、文字や背景に適切な画像処理を行う。いずれの場合も画像書込処理部１５は所定のスクリーン線数のディザマトリックスにより画素毎の画素値に置き換える。
【００３７】
書込制御部１６は画像書込処理部１５から出力された画像データをロール紙Ｐに書き込むため、ヘッド１４の各ノズルを制御して適切なタイミングで適切なインク色をロール紙Ｐに吐出する。
【００３８】
また、Ｉ／Ｏ部１３には、不図示の給紙モータ４４、レジストモータ４６、キャリッジモータ等が接続されている。
【００３９】
＜スキャナ部＞
スキャナ部２は、第一の読取画像処理部２１と、第二の読取画像処理部２２と、原稿搬送モータ２４と、スキャナセンサ部２５と、及び、ＣＩＳ２０とを有する。なお、操作部２３、第一の読取画像処理部２１、読み取り画像処理部２２、原稿搬送モータ２４（モータドライバ２１１）、及び、スキャナセンサ部２５には、電源部１０から電力が供給される。
【００４０】
第一の読取画像処理部２１は、電源切換部２６、モータドライバ２１１、ＡＦＥ（アナログフロントエンド）２１２、メモリ２１３を備えている。ＡＦＥ２１２はアナログＡＳＩＣ２１２１を有する。電源切換部２６は、ＡＦＥ２１２、メモリ２１３、及び、ＣＩＳ２０と接続されており、これらへの電力の供給／遮断を切り換える。なお、モータドライバ２１１は原稿搬送モータ２４の駆動制御を行う。
【００４１】
第一の読取画像処理部２１はＣＩＳ２０が読み取ったアナログの画像データをＡＦＥ２１２でノイズ除去、増幅等して、デジタル画像に変換（Ａ／Ｄ変換）して第二の読取画像処理部２２に出力する。
【００４２】
第二の読取画像処理部２２は、電源切換部２７、ＡＦＥ２２１、メモリ２２２及びＡＳＩＣ２２３を有する。電源切換部２７は、ＡＦＥ２２１、メモリ２２２及びＡＳＩＣ２２３と接続されており、これらへの電力の供給／遮断を切り換える。ＡＳＩＣ２２３は、シェーディング補正、γ補正、空間フィルタ(平滑,微分,ラプラシアン,メジアン,ランク,etc)、モワレ除去等、各種の画像処理を行う。
【００４３】
なお、消費電力低減のためにスキャナ部２が使用されない状態では、電源切換部２６，２７が電力を遮断することで、ＣＩＳ２０、第一の読取画像処理部２１、及び、第二の読取画像処理部２２の少なくとも1つ以上に対する電力供給が遮断される。ＣＩＳ２０、第一の読取画像処理部２１、及び、第二の読取画像処理部２２が読み取り部７０である。読み取り部７０に電力供給が遮断されていても、スキャナセンサ部２５と原稿搬送モータ２４には電源切換部２６，２７を介することなく電源部１０から電力が供給されるが、読み取り部７０と同様に、原稿搬送モータ２４やスキャナセンサ部２５の電力供給を遮断してもよい。
【００４４】
操作部２３は、ユーザが画像形成装置１００を操作するためのキー（テンキー、コピースタートキー、モード設定キー等）を備えており、入力されたキーの識別情報がシステム制御部１２に送信される。システム制御部１２は操作を受け付けて画像形成装置１００の動作を制御する。
【００４５】
スキャナセンサ部２５は、既に述べたように、挿入した原稿を判別する原稿挿入センサＳ０、原稿サイズを検出する原稿サイズセンサＳ１〜Ｓ４、原稿の副走査方向の原稿幅信号を出力する原稿レジストセンサＳ５、原稿が排出されたことを検出する原稿排出センサＳ６、原稿の搬送を停止する緊急停止キーＳ８、及び、原稿カバーが開閉したかを判別するカバー開閉検知センサ（図示せず）を備えている。
【００４６】
電源切換部２６、２７は、電源切換信号出力部１２４からの電源切換信号により読み取り部７０への電源の供給又は遮断を行う。なお、電源切換部２６、２７は、第一の読取画像処理部２１、第二の読取画像処理部２２以外（例えば電源部１０等）に配置してもよい。また、電源切換部２６、２７を1つにすることもできる。
【００４７】
＜機能ブロック＞
図５は、画像形成装置１００の機能ブロック図の一例である。ＣＰＵ１２１がメモリ１２２に記憶されたプログラム１２２１を実行することで図示する機能、電源制御部６１、判定部６２、初期設定部６３及び所定値変更部６５が実現される。
【００４８】
電源制御部６１は、システム制御部１２、外部Ｉ／Ｆ部１７、Ｉ／Ｏ部１３・ヘッド１４・画像書込制御部１５・書込制御部１６（以下、画像書込制御部という）、電源切換信号出力部（読み取り部７０）１２４、及び、操作部２３への電力の供給と遮断と制御する（これらを単に「各部」という場合がある。）。読み取り部７０への電力供給は、電源制御部６１が電源切換信号出力部１２４に、電力供給をＯＮ又はＯＦＦにする電源切換信号を出力させることで制御される。電源制御部６１が電源切換信号出力部１２４に、電力供給をＯＦＦにする電源切換信号を出力させると、タイマ１２３が電力停止時間の計測を開始する。
【００４９】
判定部６２は、電力停止時間が所定値以上の場合に「初期設定Ａ＋初期設定Ｂ」を行うと判定し、所定値未満の場合には「初期設定Ａ」のみを行うと判定する。初期設定部６３は「初期設定Ａ」のみを読み取り部７０に実行させ、又は、「初期設定Ａ＋初期設定Ｂ」を読み取り部７０に実行させる。
【００５０】
初期設定Ａは、得られた設定情報Ａが時間的に変化しやすい処理であり、初期設定Ｂは、得られた設定情報Ｂが時間的に変化しにくい処理である。したがって、設定情報が変化しやすいか否かに応じて初期設定を２つに区分することで、電力停止時間が所定値以上の場合にだけ初期設定Ｂを行えばよいことになり、読取画像の品質を維持したまま読み取り部７０の全体としての立ち上がり時間を短縮することができる。
【００５１】
初期設定部６３は、初期設定Ａとして、ＡＦＥ２１２のアナログＡＳＩＣ２１２１のレジスタに初期値を設定する処理（初期化処理）、ＡＳＩＣ２２３へブートプログラムをダウンロードしてＡＳＩＣ２２３のパラメータをセットする処理、ＡＳＩＣ２２３にシェーディング補正の輝度分布画像を取得する処理を行う。ＡＳＩＣ２２３のパラメータとは、各ＣＩＳ２０のＲ・Ｇ・Ｂそれぞれの感度を補正するパラメータであり、このパラメータにより複数（図では５本）のＣＩＳ２０が読み取る読取画像の色むらを抑制することができる。
【００５２】
シェーディング補正の輝度分布画像はＣＩＳ２０が白基準板を読み取った際の明暗分布又は明暗分布から求めた補正値であり、読み取り画像から輝度分布画像を除去することでＣＩＳ２０を含む光学系による輝度ムラを抑制することができる。
【００５３】
また、初期設定部６３は、画像処理Ｂとして、ＡＧＣ（Automatic Gain Control）調整、白レベル調整及び黒レベル調整を行う。ＡＧＣ調整とは、スキャナセンサ２５の入力信号をフィードバックして入力信号の大きさに関係なく出力信号が適切な範囲になるように自動的に調整される利得を調整することをいう。特に光源がブルー系などでも適切な白レベルが得られるように利得を調整できる。白レベル調整は、各ＣＩＳ２０が白色基準板を読み取った際に基準値（例えば２５６段階の２５５）となるようにＣＩＳの光量を調整することをいう。黒レベル調整は、ＬＥＤが点灯していない時のＣＩＳ２０の出力値（黒レベル値）を基準値（例えば２５６段階の０）に合わせる調整をいう。
【００５４】
このように初期設定Ａと初期設定Ｂを分けた理由は以下のとおりである。すなわち、ＡＧＣ調整はＣＩＳ２０の出力電圧と関係するので、主に光源のＬＥＤ光の変動（長期的には光源が減少するため）により出力補正が必要となるが、それ程頻繁に調整する必要はない。また、光源のＬＥＤは周囲温度により光量が変動するが、定電流駆動としているので変動幅は小さい。また、白レベルや黒レベルは主にセンサの温度に依存するので、機械の周囲温度が大きく変化しなければ補正の必要がないため、これらの調整は頻繁に行う必要がない。
【００５５】
所定値（所定の時間）以上、電力停止時間が続くと初期設定Ｂを行うようにしたのは、周囲温度が変化するなどの変化が発生している可能性があるためである。このように、所定値は、調整値設定項目に関係する条件が変動してしまうと思われる時間として設定するとよい。
【００５６】
次に、電力停止時間と比較される所定値について説明する。所定値は例えば２４時間程度から２週間程度である。これは上記のように設定情報Ｂが変化するか否かは気温の影響を受けやすく、気温の変化の大きさに応じて所定値を可変とすることが好ましいためである。
【００５７】
このため、所定値変更部６５は、画像形成装置１００の温度センサ６４が検出する環境温度を定期的に記憶しておき、所定時間内（例えば、６時間〜２４時間）の最大値と最小値の差の大きさに応じて、所定値を変更する。例えば、５度程度の差であれば所定値を２週間に、１０度程度の差であれば所定値を１週間に、１５度程度の差であれば所定値を３日に、２０度程度の差であれば所定値を２４時間に、設定する。なお、この所定値はユーザが操作部２３を操作して任意の時間に固定可能である。
【００５８】
〔動作モードとその遷移〕
図６は、画像形成装置１００の各部に電力が供給されるか否かに応じて定まる画像形成装置１００の動作モードの一例を示す図である。図６では、各部に電力が供給されることを"ＯＮ"、供給されないこと（遮断されること）を"ＯＦＦ"で示す。各部は、上記のとおり、システム制御部１２、外部Ｉ／Ｆ部１７、画像書込制御部、読み取り部７０、及び、操作部２３である。なお、画像書込機能部は、画像書込処理部１５、書込制御部１６、ヘッド１４、及び、Ｉ／Ｏ部１３の総称である。
・プラグインモードは、全ての各部に電力が供給されないモードである。
・メインＳＷ立ち上がりモードは、全ての各部に電力が供給されるモードであり、初期設定Ａのみ、又は、初期設定Ａ＋初期設定Ｂが実行されるモードである。
・スタンバイモードは、読み取り部７０のみに電力が供給されないモードである。
・スキャナモードは、全ての各部に電力が供給されるモードである。
・プリント１モードは、読み取り部７０のみに電力が供給されないモードである。
・プリント２モードは、読み取り部７０に電力が供給されず、操作部２３の一部（主電源キー）に電力が供給され、その他の各部に電力が供給されるモードである。
・スリープモードは、システム制御部１２の一部（ＣＰＵ１２１）と操作部２３の一部（主電源キー）に電力が供給され、外部Ｉ／Ｆ部１７に電力が供給され、画像書込機能部と読み取り部７０に電力が供給されないモードである。このスリープモードのようにＣＰＵ１２１に電力が供給されることで、画像形成装置１００は各種の割り込みを受け付けることができ、また主電源キーに電力が供給されることでユーザの操作開始を受け付けることができる。
【００５９】
各動作モードでは各部の一部又は全部に電力供給が遮断されるので、いくつかの種類の省エネ状態が存在する。
【００６０】
図７は、各動作モードへの状態遷移図と省エネ状態の一例を示す図である。まず、省エネ状態について説明する。
（１）省エネ状態１：スタンバイモード、プリント１モード
読み取り部７０に電力が供給されない状態である。
（２）省エネ状態２：スリープモード
外部Ｉ／Ｆ部１７、操作部２３の一部（主電源キー）、システム制御部１２の一部（ＣＰＵ１２１）にだけ電力が供給される状態である。
（３）省エネ状態３：プリント２モード
読み取り部７０には電力が供給されず、操作部２３の一部（主電源キー）に電力が供給され、その他には電力が供給される状態である。
省エネ状態２が最も消費電力が少ないので、適宜スリープモードとすることで消費電力を低減できる。
【００６１】
続いて、状態遷移について説明する。電源制御部６１は図７の動作モード間に記述された遷移条件が成立すると、各部へ供給される電力のＯＮ／ＯＦＦを制御する。
【００６２】
・Ｓ１００：プラグインモード
商用電源から全ての電力供給が遮断されている。この状態でユーザがメインＳＷ１１をＯＮすると、電源制御部６１が画像形成装置１００の各部へ電力の供給を開始する。
【００６３】
・Ｓ１０１：メインＳＷ立ち上がりモード
画像形成装置１００の各部への電力の供給が開始されると、初期設定部６３が初期設定を実行する。上述のように初期設定には初期設定Ａ及び初期設定Ｂがあり、初期設定Ａのみ、又は、初期設定Ａ及び初期設定Ｂが実行される。プラグインモードからメインＳＷ立ち上がりモードへの移行時は、初期設定Ｂが実行される可能性が高いので、Ｓ１０７のメインＳＷ立ち上がりモードで初期設定Ｂが実行されなくても、読取画像の画質を維持しながらスリップモードからスキャナモードへの遷移時間を短縮できる。
【００６４】
初期設定部６３が初期設定を終了すると、電源制御部６１は電源切換信号出力部１２４に、電源切換部２６，２７への電力供給をＯＦＦにする電源切換信号を出力させる。電源切換部２６はＡＦＥ２１２、メモリ２１３及びＣＩＳ２０への電力供給をＯＦＦにする。電源切換部２７はＡＦＥ２２１、メモリ２２２及びＡＳＩＣ２２３への電力供給をＯＦＦにする。これによりメインＳＷ立ち上がりモードはスタンバイモードに移行する。
【００６５】
・Ｓ１０２：スタンバイモード
スタンバイモードは、スリープモード、メインＳＷ立ち上がりモード、又は、プリント１モードへ移行しうる。スタンバイモードでは、操作部２３やスキャナセンサ部２５には電力が供給されているので、スタンバイモードでは画像読み取りの操作を受け付けることができるコマンド待受状態となる。
(i) →スリープモード
電源制御部６１は、予め設定された時間の経過をタイマ１２３が検出すると、システム制御部１２のＣＰＵ１２１を除きシステム制御部１２の電力供給をＯＦＦに、画像書込制御部への電力供給をＯＦＦに、主電源キーを除き操作部２３への電力供給をＯＦＦにする。これにより、スタンバイモードはスリープモードに移行する。
(ii) →メインＳＷ立ち上がりモード
スタンバイモードではスキャナセンサ部２５へ電力が供給されているので、原稿挿入センサＳ０が原稿の挿入を検出すると、ＣＰＵ１２１に割り込みを発生させる。これにより、電源制御部６１は、電源切換信号出力部１２４に、電源切換部２６，２７への電力供給をＯＮにする電源切換信号を出力させる。電源切換部２６はＡＦＥ２１２、メモリ２１３、及び、ＣＩＳ２０への電力供給をＯＮにする。電源切換部２７はＡＦＥ２２１、メモリ２２２及びＡＳＩＣ２２３への電力供給をＯＮにする。これによりスタンバイモードはメインＳＷ立ち上がりモードに移行する。
(iii)→プリント１モード
スタンバイモードでは外部Ｉ／Ｆ部１７へ電力が供給されているので、ネットワーク経由でドキュメントが送信されると外部Ｉ／Ｆ部１７がＣＰＵ１２１に割り込みを発生させる。これによりスタンバイモードはプリント１モードに移行する。電源制御部６１は、特に、電源供給の開始・遮断を変更しない。
【００６６】
・Ｓ１０３：スリープモード
スリープモードは、スタンバイモード、メインＳＷ立ち上がりモード、又は、プリント２モードへ移行しうる。スリープモードでは、システム制御部１２のＣＰＵ１２１、操作部２３の主電源キー及び外部Ｉ／Ｆ部１７へ電力が供給されているので、画像形成装置１００を起動させるための起動トリガを待ち受ける起動トリガ待ち受けモードになる。
(i) →スタンバイモード
ユーザが操作部２３の主電源キーをオンに操作すると、操作部２３がＣＰＵ１２１に割り込みを発生させる。電源制御部６１は、ＣＰＵ１２１だけでなくシステム制御部１２の全体の電力供給をＯＮに、画像書込制御部への電力供給をＯＮに、主電源キーだけでなく操作部２３の全体の電力供給をＯＮにする。これにより、スリープモードはスタンバイモードに移行する。
(ii) →メインＳＷ立ち上がりモード
原稿挿入センサＳ０が原稿の挿入を検出すると、原稿挿入センサＳ０はＣＰＵ１２１に割り込みを発生させる。これにより、電源制御部６１は、ＣＰＵ１２１だけでなくシステム制御部１２の全体の電力供給をＯＮに、画像書込制御部への電力供給をＯＮに、主電源キーだけでなく操作部２３の全体の電力供給をＯＮに、電源切換信号出力部１２４に、電源切換部２６，２７への電力供給をＯＮにする電源切換信号を出力させる。電源切換部２６はＡＦＥ２１２、メモリ２１３及びＣＩＳ２０への電力供給をＯＮにする。電源切換部２７はＡＦＥ２２１、メモリ２２２及びＡＳＩＣ２２３への電力供給をＯＮにする。これによりスリープモードはメインＳＷ立ち上がりモードに移行する。
(iii) →プリント２モード
ネットワーク経由でドキュメントが送信されると外部Ｉ／Ｆ部１７がＣＰＵ１２１に割り込みを発生させる。これにより、電源制御部６１は、ＣＰＵ１２１だけでなくシステム制御部１２の全体の電力供給をＯＮに、画像書込制御部への電力供給をＯＮにする。これによりスリープモードはプリント２モードに移行する。
【００６７】
・Ｓ１０４：プリント１モード
プリント１モードではロール紙Ｐに画像が形成される印刷状態となる。画像書込制御部１５がプリントコマンドを全て実行すると、プリント１モードはスタンバイモードに移行する。電源制御部６１は、特に、電源供給の開始・遮断を変更しない。
【００６８】
・Ｓ１０５：プリント２モード
プリント２モードではロール紙Ｐに画像が形成される印刷状態となる。画像書込制御部１５がプリントコマンドを全て実行すると、電源制御部６１は、システム制御部１２のＣＰＵ１２１を除きシステム制御部１２の電力供給をＯＦＦに、画像書込制御部への電力供給をＯＦＦにする。これにより、プリント２モードはスリープモードに移行する。
【００６９】
・Ｓ１０７：メインＳＷ立ち上がりモード
画像形成装置１００の各部への電力の供給が開始されると、初期設定部６３が初期設定を実行する。上述のように初期設定には初期設定Ａ及び初期設定Ｂがあり、初期設定Ａのみ、又は、初期設定Ａ及び初期設定Ｂが実行される。
【００７０】
初期設定部６３が初期設定を終了すると、メインＳＷ立ち上がりモードはスキャナモードに移行する。電源制御部６１は、特に、電源供給の開始・遮断を変更しない。
【００７１】
・Ｓ１０６：スキャナモード
スキャナモードは、スタンバイモード、又は、プリント１モードへ移行しうる。スキャナモードでは原稿が読み取り部により読み取られる原稿読取状態となる。
(i)→プリント１モード
ユーザが操作部２３から複写操作を入力した場合、スキャナモードはプリント１モードに移行する。スキャナ部２が原稿を全て読み取ると（センサＳ６がＯＦＦになる）、電源制御部６１は、電源切換信号出力部１２４に、電源切換部２６，２７への電力供給をＯＦＦにする電源切換信号を出力させる。電源切換部２６はＡＦＥ２１２、メモリ２１３及びＣＩＳ２０への電力供給をＯＦＦにする。電源切換部２７はＡＦＥ２２１、メモリ２２２及びＡＳＩＣ２２３への電力供給をＯＦＦにする。これによりスキャナモードはプリント１モードに移行する。
(ii)→スタンバイモード
ユーザが操作部２３から読み取り操作のみを入力した場合、スキャナモードはスタンバイモードに移行する。スキャナ部２が原稿を全て読み取ると（センサＳ６がＯＦＦになる）予め定められた時間の経過に従い、電源制御部６１は、電源切換信号出力部１２４に、電源切換部２６，２７への電力供給をＯＦＦにする電源切換信号を出力させる。電源切換部２６はＡＦＥ２１２、メモリ２１３及びＣＩＳ２０への電力供給をＯＦＦにする。電源切換部２７はＡＦＥ２２１、メモリ２２２及びＡＳＩＣ２２３への電力供給をＯＦＦにする。これによりスキャナモードはスタンバイモードに移行する。
【００７２】
〔動作手順〕
図８は、スキャナ部２の動作手順を説明するフローチャート図の一例である。画像形成装置１００がプラグインモードであるとして説明する。
【００７３】
プラグインモードにてユーザがメインＳＷ１１をＯＮに操作する（Ｓ３００）。これにより、画像形成装置１００の各部に電源の供給が開始され、メインＳＷ立ち上がりモードになる。
【００７４】
メインＳＷ立ち上がりモードでは、判定部６２は電力停止時間が所定値以上か否かを判定する（Ｓ３０１）。タイマ１２３が計測した電力停止時間と予め定められた所定値を比較して、電力停止時間＜所定値であれば、判定部６２は初期設定Ａのみを実行すると判定し、電力停止時間≧所定値であれば、判定部６２は初期設定Ａ＋初期設定Ｂを実行すると判定する。初期設定（Ｓ３０２ａ、Ｓ３０２ｂ）の処理については後述する。
【００７５】
ステップＳ３０２ａ、Ｓ３０２ｂの初期設定が終了すると、電源制御部６１は読み取り部への電力供給を遮断する（Ｓ３０３）。これにより、メインＳＷ立ち上がりモードはスタンバイモードになる（Ｓ３０４）。
【００７６】
スタンバイモードにおいてユーザが原稿挿入口２９に原稿を挿入すると、原稿挿入センサＳ０が原稿を検出する（Ｓ３０５のＯＮ）。なお、原稿挿入センサＳ０が原稿を検出しないまま所定時間が経過すると（Ｓ３０５のＯＦＦ）、スタンバイモードはスリープモードに移行する。
【００７７】
原稿挿入センサＳ０が原稿を検出すると、電源制御部６１が読み取り部に電力を供給し、スタンバイモード又はスリープモードはメインＳＷ立ち上がりモードになる。このためＳ３０１と同様に、判定部６２は電力停止時間が所定値以上か否かを判定する（Ｓ３０１）。初期設定（Ｓ３０２ａ、Ｓ３０２ｂ）の処理については後述する。
【００７８】
ステップＳ３０２ａ、Ｓ３０２ｂの初期設定が終了すると、メインＳＷ立ち上がりモードはスキャナモードに移行する。このため、スキャナ部２は原稿搬送モータ２４を駆動して、原稿を一定量搬送する（Ｓ３０７）。
【００７９】
原稿を一定量搬送すると、スキャナ部２は原稿搬送モータ２４を停止し（Ｓ３０８）、原稿を読み取る（Ｓ３０９）。原稿排出センサＳ６がＯＮの間、スキャナ部２はＳ３０７〜Ｓ３０９の動作を繰り返す。
【００８０】
原稿の読取が終了して原稿排出センサＳ６がＯＦＦになると（Ｓ３１０のＯＦＦ）、タイマ１２３が時間の計測を開始し、予め設定した時間が経過すると（Ｓ３１１）、電源制御部６１は読み取り部７０への電力供給を停止し、スキャナモードはスタンバイモードに移行する（Ｓ３１３）。
【００８１】
続いて初期設定について説明する。  
図９は初期設定Ａの処理手順を示すフローチャート図の一例を、図１０は初期設定Ｂの処理手順を示すフローチャート図の一例を、それぞれ示す。
【００８２】
初期設定が実行されるのはメインＳＷ立ち上がりモードである。メインＳＷ立ち上がりモードでは、読み取り部７０に電力が供給される（Ｓ４００）。
【００８３】
まず、初期設定部６３は、スキャナ部２の異常検出を行う（Ｓ４０１）。具体的には、スキャナ部２の例えば第一の読取画像処理部２１又は第二の読取画像処理部２２に搭載されているＦＰＧＡ（Field Programmable Gate Array）のレジスタアクセス確認を行うことにより接続異常の有無を確認する。
【００８４】
次に、初期設定部６３は、スキャナ部２のアナログＡＳＩＣ２１２１、ＦＰＧＡ（不図示）のレジスタの初期化のため、第一の読取画像処理部２１のＡＦＥ２１２のアナログＡＳＩＣ２１２１やＦＰＧＡのレジスタに初期値を設定する（Ｓ４０２）。この初期値は初期化のための値で変化しない。
【００８５】
次に、初期設定部６３は、第二の読取画像処理部２２のＡＳＩＣ２２３に、メモリ２２２からブートプログラムをダウンロードする（Ｓ４０３）。ＡＳＩＣ２２３がブートプログラムを実行すると、ＡＳＩＣ２２３に初期設定のためのプログラムがメモリ２２２からダウンロードされる。
【００８６】
次に、ＡＳＩＣ２２３は、各ＣＩＳ２０のＲ・Ｇ・Ｂそれぞれの読み取り値に基づき調整した感度を補正するパラメータをＡＳＩＣ２２３のレジスタにセットする（Ｓ４０４）。
【００８７】
次に、ＡＳＩＣ２２３は、白基準板を読み取りＡＳＩＣ２２３のレジスタにシェーディング補正の輝度分布画像をセットする（Ｓ４０５）。
【００８８】
ここまでが初期設定Ａであるが、初期設定部６３が初期設定Ｂを実行しなくても初期設定Ｂにより得られる設定情報Ｂは読み取り部７０に設定する必要があるので、初期設定部６３は、メモリ２２２に記憶されている前回の設定情報ＢをＡＳＩＣ２２３のレジスタに記憶する（Ｓ４０６）。設定情報Ｂは、ＡＧＣ調整値、白レベル調整値、及び、黒レベル調整値である。
【００８９】
なお、読み取り部７０に複数個のＣＩＳ２０が搭載されている場合、上記初期設定Ａに加えて、初期設定部６３は、第二の読取画像処理部２２の主走査方向及び副走査方向の繋ぎ目パラメータの設定も行う。
【００９０】
初期設定Ｂについて説明する。
まず、初期設定部６３は、ＣＩＳ２０の各々の読み取り値が入力信号の大きさに関係なく適切な範囲に入るようにＡＧＣ調整を行う（Ｓ４１０）。
【００９１】
次に、初期設定部６３は、各ＣＩＳ２０での白色基準板が基準値となるようにＣＩＳ２０の光量を調整する白レベル調整を実行する（Ｓ４１１）。また、初期設定部６３は、黒レベル調整を実行する（Ｓ４１２）。
【００９２】
初期設定部６３は、これらの設定情報ＢをＡＳＩＣ２２３に設定すると共に、メモリ２２２に記憶する。これにより、初期設定Ｂが終了する。なお、初期設定ＢはＡＧＣ調整、白レベル調整又は黒レベル調整の1つ以上を含めばよい。
【００９３】
以上説明したように、本実施形態の画像形成装置１００によれば、長期間（所定値以上）スリープモードが続いた場合、初期設定Ａ＋初期設定Ｂを実行することにより読取画像の品質を維持することができ、スリープモードの持続が長期間と判定されなければ、初期設定Ａのみが実行されるので立ち上がり時間を短縮できる。したがって、消費電力の低減と、立ち上がり時間の短縮を両立できる。
【符号の説明】
【００９４】
１    プロッタ部
２    スキャナ部
１２  システム制御部
４    ヘッド
２０  ＣＩＳ（密着センサ）
２１  第一の読取画像処理部
２２  第二の読取画像処理部
２３  操作部
２４  原稿搬送モータ
２５  スキャナセンサ部
２６、２７  電源切換部
２８  原稿台
３０  原稿押さえ板
４０  給紙部、
４１ａ、４１ｂ、４２ａ、４２ｂ、４３  給紙ローラ
４６  レジストモータ
４７  キャリッジ
４８ａ、４８ｂ、４９ａ、４９ｂ  排紙ローラ
５０  カッター
６０  画像形成部
７０  読み取り部
１００  画像形成装置
【先行技術文献】
【特許文献】
【００９５】
【特許文献１】特開２００６−２１７０７５号公報
【図１】
2011215595.tif 000003
【図２】
2011215595.tif 000004
【図３】
2011215595.tif 000005
【図４】
2011215595.tif 000006
【図５】
2011215595.tif 000007
【図６】
2011215595.tif 000008
【図７】
2011215595.tif 000009
【図８】
2011215595.tif 000010
【図９】
2011215595.tif 000011
【図１０】
2011215595.tif 000012